(57)【要約】【目的】  巻尺用ホルダを、巻尺既設のベルトクリップそのままで該巻尺を安全に保持できるようにして、各メーカーの巻尺にも十分に対応することができる汎用性に優れた巻尺用ホルダを提供する。【解決手段】  巻尺ホルダ１を、該巻尺ホルダ１の前側に配置されて上記ベルトクリップを掛着することができる程度の厚さを有する掛着部２と、上記掛着部２よりも高い位置に設けられて該巻尺ホルダ１の上下方向及び前後方向のいずれとも直交する横方向に延在する軸１２を中心として回動可能に、且つ該軸１２が、該巻尺ホルダ１の前後方向へ延びている長細の受け孔１４を有する軸受けに支持されている可動部４と、を備えて、上記可動部４を、バネ１６によって該巻尺ホルダ１の前側方向へ付勢させて構成する。【選択図】図１
2019196966.tif 000002
【特許請求の範囲】
【請求項１】
ベルトクリップを有する巻尺を保持するための巻尺ホルダにおいて、
上記ベルトクリップを掛着することができる程度の厚さを有する掛着部と、
上記掛着部よりも上側に設けられ、該巻尺ホルダの上下方向及び前後方向のいずれとも直交する横方向に延在する軸を中心として回動可能に構成された可動部であって、該軸が、該巻尺ホルダの前後方向へ延びている長細の受け孔を有する軸受けに支持されている、可動部と、
を備え、
上記可動部の下端が上記掛着部の上に位置してないときには、上記掛着部と上記可動部との間の隙間を通して上記ベルトクリップが抜き差しされることを許容し、
上記可動部の下端が上記掛着部の上に位置しているときには、上記掛着部と上記可動部との間の隙間を通して上記ベルトクリップが抜き差しされることを妨げることを特徴とする、巻尺ホルダ。
【請求項２】
上記可動部は、該巻尺ホルダの前側方向へ付勢されていることを特徴とする、請求項１に記載の巻尺ホルダ。
【請求項３】
ベルトクリップを有する巻尺を保持するための巻尺ホルダにおいて、
該巻尺ホルダの前側に配置され、上記ベルトクリップを掛着することができる程度の厚さを有する掛着部と、
上記掛着部よりも上側に設けられ、該巻尺ホルダの上下方向及び前後方向のいずれとも直交する横方向に延在する軸を中心として回動可能に構成された可動部であって、該軸が、該巻尺ホルダの前後方向へ延びている長細の受け孔を有する軸受けに支持されている、可動部と、
を備え、
上記可動部は、該巻尺ホルダの前側方向へ付勢されており、
上記可動部の下端が上記掛着部の上に位置してないときには、上記掛着部と上記可動部との間の隙間を通して上記ベルトクリップが抜き差しされることを許容し、
上記可動部の下端が上記掛着部の上に位置しているときには、上記掛着部と上記可動部との間の隙間を通して上記ベルトクリップが抜き差しされることを妨げることを特徴とする、巻尺ホルダ。
【請求項４】
上記可動部の少なくとも下端部は、上記掛着部の上記ベルトクリップを支持するための支持部を越えて該巻尺ホルダの前方へ進出するように構成されていることを特徴とする、請求項１〜３のいずれかに記載の巻尺ホルダ。
【請求項５】
上記可動部の少なくとも下端部に、衝撃緩和手段が設けられていることを特徴とする、請求項１〜３のいずれかに記載の巻尺ホルダ。
【発明の詳細な説明】
【技術分野】
【０００１】
本発明は、巻尺の保持に用いられる機械ロック式の巻尺ホルダに関し、詳しくは、ベルトクリップを備える巻尺に対応するように構成されている巻尺ホルダに関する。
【背景技術】
【０００２】
巻尺を携帯する際に用いられる機械ロック式の巻尺用ホルダは、ホルダの保持部と、これに対に設けられている外部係止片（巻尺のケースに取付）とが係合して上記外部係止片の脱落が係止される構造になっていて、この外部係止片を備える巻尺が保持された際、該巻尺の落下を確実に防止できるように構成されている。
【０００３】
そして、上述の外部係止片は、巻尺のケースにおける従来ベルトクリップが設置されているケース背面に、既設のベルトクリップに代わり取り付けられる。このため、巻尺ホルダは、外部係止片が設置された巻尺の専用品となっている。
【０００４】
また、上述の外部係止片は、他の巻尺のベルトクリップ取り付け部に既設されているベルトクリップに代えて取り付け可能に構成されている場合もある。これにより、数種の巻尺は、上述の巻尺ホルダに保持できるようになっている。
【０００５】
しかしながら、既設のベルトクリップに代えて外部係止片を取り付け可能にしても、ベルトクリップ取り付け部の形態や取付ねじの寸法は、各巻尺やメーカー間で相違していることが多く、また、保持の安全性の観点からも現状では、同一メーカーの一部の巻尺間での互換性しかなかった。
【０００６】
最近では巻尺が高所で使用されるケースが増加しているため、巻尺を携帯する際は、上述に説明している巻尺の落下を確実に防止できる巻尺ロック機能を有する巻尺用ホルダを用いて安全に携帯している。しかしながら、この巻尺用ホルダは、メーカー内でも一部の巻尺しか対応していないため、携帯者自身の作業に適合する巻尺を選ぶことができないといった問題がある。
【先行技術文献】
【特許文献】
【０００７】
【特許文献１】実用新案登録第３１６３３８１号公報
【発明の概要】
【発明が解決しようとする課題】
【０００８】
本発明は、保持（係止）に必須の外部係止片を必要とせず、巻尺既設のベルトクリップそのままで該巻尺を安全に保持（係止）できるようにして、各メーカーの巻尺に十分に対応することができる汎用性に優れた巻尺ホルダを提供する。
【課題を解決するための手段】
【０００９】
本発明の巻尺ホルダの一実施例においては、ベルトクリップを有する巻尺を保持するための巻尺ホルダにおいて、上記ベルトクリップを掛着することができる程度の厚さを有する掛着部と、上記掛着部よりも上側に設けられ、該巻尺ホルダの上下方向及び前後方向のいずれとも直交する横方向に延在する軸（シャフト）を中心として回動可能に構成された可動部であって、該軸が、該巻尺ホルダの前後方向へ延びている長細の受け孔を有する軸受けに支持されている、可動部と、を備え、上記可動部の下端が上記掛着部の上に位置してないときには、上記掛着部と上記可動部との間の隙間を通して上記ベルトクリップが抜き差しされることを許容し、  上記可動部の下端が上記掛着部の上に位置しているときには、上記掛着部と上記可動部との間の隙間を通して上記ベルトクリップが抜き差しされることを妨げることを特徴とする。
【００１０】
また一実施例においては、上記可動部は、該巻尺ホルダの前側方向へ付勢されていることを特徴とする。
【００１１】
また一実施例においては、ベルトクリップを有する巻尺を保持するための巻尺ホルダにおいて、該巻尺ホルダの前側に配置され、上記ベルトクリップを掛着することができる程度の厚さを有する掛着部と、上記掛着部よりも上側に設けられ、該巻尺ホルダの上下方向及び前後方向のいずれとも直交する横方向に延在する軸を中心として回動可能に構成された可動部であって、該軸が、該巻尺ホルダの前後方向へ延びている長細の受け孔を有する軸受けに支持されている、可動部と、を備え、上記可動部は、該巻尺ホルダの前側方向へ付勢されており、上記可動部の下端が上記掛着部の上に位置してないときには、上記掛着部と上記可動部との間の隙間を通して上記ベルトクリップが抜き差しされることを許容し、上記可動部の下端が上記掛着部の上に位置しているときには、上記掛着部と上記可動部との間の隙間を通して上記ベルトクリップが抜き差しされることを妨げることを特徴とする。
【００１２】
また一実施例においては、上記可動部の少なくとも下端部は、上記掛着部の上記ベルトクリップを支持するための支持部を越えて該巻尺ホルダの前方へ進出するように構成されていることを特徴とする。
【００１３】
また一実施例においては、上記可動部の少なくとも下端部に、衝撃緩和手段が設けられていることを特徴とする。
【図面の簡単な説明】
【００１４】
【図１】本発明に係る巻尺ホルダの一実施例を示す斜視図。
【図２】図１に示した巻尺ホルダの断面図。
【図３】巻尺が掛着されるときの可動部の位置を示す斜視図。
【図４】図３に示した巻尺ホルダの断面図。
【図５】巻尺が取り出されるときの可動部の位置を示す斜視図。
【図６】図５に示した巻尺ホルダの断面図。
【図７】巻尺が掛着された巻尺ホルダの断面図。
【図８】巻尺が掛着されるまでの動作過程を示す図。
【図９】巻尺が取り出されるまでの動作過程を示す図。
【図１０】巻尺ホルダの他の一実施例を示す斜視図。
【図１１】巻尺ホルダの他の一実施例を示す斜視図。
【図１２】可動部と軸を示す正面図（ａ）及び斜視図（ｂ）。
【図１３】巻尺ホルダの受け孔の構造を示す図。
【図１４】巻尺ホルダの一部を透視して掛着部に掛着された巻尺をその背面側から見ている図（ａ）〜（ｃ）、及び斜視図（ｄ）。
【発明を実施するための形態】
【００１５】
本発明の巻尺ホルダについて、添付の図面を参照しつつ説明する。なお、本巻尺ホルダの上下、前後、横の各方向は図１中に矢印で示していて、矢印Ａが上下方向、矢印Ｂが前後方向、矢印Ｃが横方向としている。
【００１６】
図１は、本巻尺ホルダの一実施例を示している。図２は、図１に示している巻尺ホルダ１の断面図である。巻尺ホルダ１は、掛着部２と、可動部４と、携帯者のベルトに装着するための携帯者ベルト装着部６とを備えている。また、本実施例の巻尺ホルダ１は、図７（ａ）も参照にて、掛着部２の支持部８に支持された巻尺２０のベルトクリップ２２の折返し部２４が、該支持部８の横方向に移動して脱落しないようにするための脱落防止手段の一実施例として、脱落防止ガード１０を示している。
【００１７】
可動部４は、掛着部２よりも上側（高い位置）に設けられていて、軸（シャフト）１２が、長細の受け孔１４を有する軸受けに支持され、バネ１６によって巻尺ホルダ１の前側方向に付勢されている。また軸１２は、バネ１６の付勢力に抗して受け孔１４に案内されて携帯者ベルト装着部６の方向に移動できるように構成されている。すなわち可動部４が携帯者ベルト装着部６の方向に動けるようになっている。さらに、可動部４は、巻尺ホルダ１の上下方向及び前後方向のいずれとも直交する横方向に延在する軸１２を中心として、図６も参照にて、手操作で巻尺ホルダ１の前側に傾けることができ（矢印Ｄの方向）、また、上記傾けにより圧縮されたバネ１６の付勢力によって可動部４は元の位置（状態）に復帰（戻る）する。なお、本図１における可動部４（下端部１８）の位置は、図７（ａ）も参照にて、巻尺２０のベルトクリップ２２が抜き差しされることを妨げる位置すなわち掛着部２に掛着された巻尺２０のベルトクリップ２２（折返し部２４）の取り出しが阻止される位置である。可動部４については後段にてより詳しく説明する。
【００１８】
掛着部２は、図７（ａ）に示されるように巻尺２０のベルトクリップ２２が掛着される板状体からなり、その厚みは、ベルトクリップ２２の折返し部２４の間隙よりも小なるものとされ、その掛着面は平坦に形成されている。また、巻尺ホルダ１が携帯者に装着された状態において、掛着部２における上方端面部が、ベルトクリップ２２の折返し部２４の内面を支持するための支持部８となっている。なお、掛着面におけるベルトクリップ２２の抜き差し方向に、溝などを形成する場合もある。
【００１９】
脱落防止ガード１０は、上述したように、図７（ａ）も参照にて、掛着部２の支持部８に支持された巻尺２０のベルトクリップ２２の折返し部２４が、該支持部８の横方向に移動して脱落しないようにするための脱落防止手段の一実施例として示している。本実施例では、該脱落防止ガード１０は支持部８の両側に掛着部２と一体形成されていて、掛着部２の下端から可動部４の上端付近にかけて設けられている。
【００２０】
図３は、巻尺２０が掛着されるときの可動部４の位置を示している。図４は、図３に示している巻尺ホルダ１の断面図である。可動部４が、バネ１６の付勢力に抗して巻尺ホルダ１の後側方向に押されて該巻尺ホルダ１の後側方向に移動したときの位置である。可動部４がこの位置にあるとき、図７（ｂ）も参照にて、掛着部２と可動部４（下端部１８）との間に生じた隙間を通して巻尺２０のベルトクリップを抜き差しすることができる。
【００２１】
図５は、掛着されている巻尺２０を取り出すときの可動部４の状態を示している。図６は、図５に示している巻尺ホルダ１の断面図である。バネ１６の付勢力によって巻尺ホルダ１の前側方向に位置する可動部４が（図１を参照）、該可動部４の上部が、矢印Ｄの方向すなわち巻尺ホルダ１の前側方向に引かれることによって軸１２を中心に巻尺ホルダ１の前側方向に回転したときの位置である。可動部４がこの位置にあるとき、掛着部２と可動部４（下端部１８）との間に生じた隙間を通して巻尺２０のベルトクリップ２２を取り出すことができる（図７（ｃ）も参照されたい）。
【００２２】
図７（ａ）を参照しつつ上述した可動部４についてより詳しく説明する。可動部４は、掛着部２の支持部８に掛着された巻尺２０のベルトクリップ２２の上に移動して脱落（抜け落ち）するのを防止するためのものである。本実施例では、可動部４の下端部１８が、掛着部２の支持部８の上に位置するように該可動部４が配置されている。この配置位置は、巻尺２０に備えるベルトクリップ２２（折返し部２４）の取り出しが阻止される位置である。従って、掛着部２の支持部８の上に位置するよう配置された可動部４の下端部１８は、掛着部２の支持部８に巻尺２０のベルトクリップ２２における折返し部２４が支持された際に、該折返し部２４の上に位置するようになっている。
【００２３】
可動部４の下端部１８は、可動部４の全体また下端部１８の構成や形成の形態によって、ベルトクリップ２２の直線状の折返し部２４の全域の上や、折返し部２４の一部分の上に位置する。下端部１８は、掛着部２のベルトクリップ２２を支持するための支持部８を越えて該巻尺ホルダ１の前方へ進出するように構成するのが望ましい。すなわち、ベルトクリップ２２における折返し部２４の真上を越えて巻尺２０のケース寄りに進出するように構成する。
【００２４】
可動部４の付勢は、可動部４の下端部１８が掛着部２の支持部８の上（巻尺２０に備えるベルトクリップ２２（折返し部２４）の取り出しが阻止される位置）に自動で戻るよう（自動復帰）にするためのものである。付勢手段としては、発条部材や弾性部材などが挙げられ、発条部材の一例としては、圧縮コイルばね／ねじりコイルばね／板ばねなどのばねが挙げられ、弾性部材の一例としては、シリコンなどの合成ゴムが挙げられる。勿論、上述した発条部材や弾性部材の他、弾発性に優れる部材（材料）を用いて付勢手段としてもよい。
【００２５】
可動部４の下端部１８と掛着部２の支持部８に支持されたベルトクリップ２２の折返し部２４との間隙は、掛着部２の支持部８にベルトクリップ２２が支持されたとき、あるいは間もなく支持されるとき、可動部４が初期位置に復帰して該可動部４の下端部１８が上記折返し部２４の上に位置可能な隙間となっていればよい。合理的な一例を挙げれば、ベルトクリップ２２の折返し部２４と掛着部２の支持部８との隙間が、０．５ｍｍ〜１０ｍｍの間で設定される。しかしながら、可動部４の下端部１８と掛着部２の支持部８との配置形態、下端部１８及び支持部８の形態、ベルトクリップ２２の形態により、上記隙間寸法は、０．５ｍｍ〜１０ｍｍの範囲よりも小なる寸法に設計されている場合もあれば、大なる寸法に設計されている場合もある。
【００２６】
そして、本実施例に示した可動部４の携帯者ベルト装着部６の方向への動きについて説明すると、巻尺２０を掛着する際に、ベルトクリップ２２の前面が押し付けられることによって可動部４の全体が、該可動部４の軸１２が軸受けの受け孔１４に案内されて携帯者ベルト装着部６の方向へ動くように構成されている。
【００２７】
携帯者ベルト装着部６は、該巻尺用ホルダ１を携帯者のベルトに装着するためのものである。本実施例に示した携帯者ベルト装着部６には、携帯者が身に着けているベルトを通すためのベルト挿通部２６が形成されている。
【００２８】
図８にて、巻尺２０が巻尺ホルダ１に保持されるまでの動作過程を説明する。先ずは、図８（ａ）のように、巻尺２０のベルトクリップ２２の前面を巻尺ホルダ１の可動部４の前面に当接させ（矢印Ｅ）、図８（ｂ）のように、該ベルトクリップ２２で初期位置（ホームポジション）に位置（停止）している可動部４をバネ１６（付勢手段）の押圧力に抗して携帯者ベルト装着部６の方向に押し込む（矢印Ｆ及びＧ）と、可動部４の軸１２が軸受けの受け孔１４に案内されて携帯者ベルト装着部６の方向に移動する。そうすると、図８（ｃ）のように、掛着部２における支持部８の上に空間２８が生じるので、巻尺２０を下方に移動させ（矢印Ｈ）、図８（ｄ）及び図８（ｅ）のように、掛着部２の支持部８にベルトクリップ２２の先端の開口部分から内空間３０に入れていく。なお、可動部４はバネ１６の押圧力によって、可動部４の軸１２が軸受けの受け孔１４に案内されて初期位置（図８（ａ）の位置）へ戻っていく（矢印Ｉ）。そして、図８（ｆ）のように、ベルトクリップ２２の折返し部２４が可動部４を通過すると、該可動部４は初期位置（図８（ａ）の位置）に戻り、ベルトクリップ２２における折返し部２４の上に可動部４の下端部１８が位置（停止）する。ベルトクリップ２２の折返し部２４の内面は掛着部２の支持部８上に位置されて、該巻き尺２０は巻尺ホルダ１に固定的に保持される。
【００２９】
図９にて、巻尺２０を巻尺ホルダ１から取り出されるまでの動作過程を説明する。図９（ａ）に示されるように、巻尺２０は巻尺ホルダ１に固定的に保持されている状態にあって、すなわち巻尺２０におけるベルトクリップ２２の折返し部２４の上に可動部４の下端部１８が位置（停止）し、該ベルトクリップ２２の折返し部２４の内面が掛着部２の支持部８上に位置されている。この状態の巻尺２０を巻尺ホルダ１から取り出すには、先ず、図９（ｂ）に示されるように、可動部４の上端寄りを手操作で巻尺ホルダ１の前側に傾ける（矢印Ｊ）と、掛着部２における支持部８の上に空間２８が生じるので、図９（ｃ）に示されるように、巻尺２０におけるベルトクリップ２２の折返し部２４を掛着部２の前面に出して該巻尺２０を上方に移動させる（矢印Ｋ）。なお、折返し部２４を可動部４の前面に出した後は、可動部４の上端寄りを手操作で巻尺ホルダ１の前側に傾ける（矢印Ｊ）操作を続けなくてもよい。そして、図９（ｄ）及び図９（ｅ）に示されるように、巻尺２０を上方へ引き抜いていくと、巻尺２０のベルトクリップ２２は掛着部２の前面に沿って上昇していき、図９（ｆ）に示されるように、掛着部２から脱出して巻尺２０を巻尺ホルダ１から取り出すことが出る。また、図９（ｃ）について説明した通り、折返し部２４を可動部４の前面に出した後は、可動部４の上端寄りを手操作で巻尺ホルダ１の前側に傾ける（矢印Ｊ）操作を続けなくてもよく、この操作をやめると、可動部４は、図９（ｄ）に示したように、ベルトクリップ２２によってバネ１６の押圧力に抗し、該可動部４の軸１２が軸受けの受け孔１４に案内されて携帯者ベルト装着部６の方向に押し込まれる（矢印Ｌ）。そして、図９（ｅ）に示されるように、巻尺２０のベルトクリップ２２が掛着部２から引き抜かれて行くにつれ、可動部４はバネ１６から押圧力を受け、可動部４の軸１２が軸受けの受け孔１４に案内されて初期位置に戻っていき（矢印Ｍ）、図９（ｆ）に示されるように、巻尺２０が巻尺ホルダ１から取り出された後は図８（ａ）に示される状態に戻る（図９（ｆ）と図８（ａ）とは同じ状態である）。
【００３０】
図１０の巻尺ホルダ３２は、可動部４の下端部１８に衝撃緩和手段が設けられている一実施例を示している。図１０（ａ）は、衝撃緩和手段に弾性体３４を用いた一実施例である。これにより、掛着部２に掛着されている巻尺２０のケース下端部が携帯者周囲の部材に衝突してベルトクリップ２２の折返し部２４が可動部４の下端部１８に衝突した場合に、上記弾性部材３４の変形によって衝突による衝撃を低減している。また、図１０（ｂ）は、可動部４の下端部にダンパ３６を用いた一実施例である。ダンパ３６は、ばね材３８によって可動部４に接続されていて、掛着部２に掛着されている巻尺２０のケース下端部が携帯者周囲の部材に衝突してベルトクリップ２２の折返し部２４が当接したときは、右図のように、ばね材３８の収縮により衝突による衝撃を低減している。
【００３１】
図１１は、巻尺ホルダの他の一実施例を示す斜視図である。本巻尺用ホルダ４０は、一方が巻尺のケースに繋げられた落下防止用ロープのフックなどの外部フックを係着するための係着部４２が設けられている。
【００３２】
また、本実施例では示していないが、少なくとも掛着部２と、脱落防止ガード１０と、可動部４とを備えた巻尺ホルダの本体部が、携帯者ベルト装着部６におけるベルト挿通部２６のベルト挿通方向に対して直交する方向に立設された軸に回転可能に軸支される場合もある。この場合、上記本体部は複数の角度で停止可能に構成するのがよい。
【００３３】
また、上述した可動部４に形成されている軸１２は、必ずしもバネ１６の付勢力によって巻尺ホルダ１の前側方向に自動的に戻る（復帰する）ようにする必要はなく、手動にて動かした可動部４の軸１２が、軸受けにおける受け孔１４の巻尺ホルダ１の前側方向の端に一時固定的に位置可能に構成してもよい。
【００３４】
図１２は、一実施例における可動部４と軸１２を示す正面図（図１２（ａ））及び斜視図（図１２（ｂ））である。一実施例においては、可動部４の側面の表面から軸１２が延出している。他の実施例においては、可動部４の上側を軸（シャフト）１２が貫通している。また図１２に示される実施例においては、軸１２の先端が平坦に形成されているが、軸１２の先端は、受け孔１４の形状に応じて、丸い形状に形成されている場合もあれば、他の形状に形成されている場合もある。
【００３５】
図１３に、上述した可動部４の軸１２を、一時固定的に受け孔１４の巻尺ホルダ１の前側方向の端に位置可能にするための該受け孔１４の構造を示す。図１３（ａ）に示される実施例においては、受け孔１４の巻尺ホルダ１の前側方向寄りに弾性部材４４を設けて、該受け孔１４に案内されて動いた軸１２が該弾性部材４４を通過する際は、右図のように、軸１２の衝突（押圧）によって弾性部材４４が一時的に変形し、該軸１２の通過後に変形が戻るようになっている。弾性部材４４を変形させるには相応の力を必要とするので、可動部４の軸１２が受け孔１４の巻尺ホルダ１の前側方向の端に動かされた際は、軸１２が弾性部材４４によって該位置に一時固定される。なお、弾性部材４４の一例としては、シリコン樹脂等のゴム状弾性を有する素材が挙げられる。図１３（ｂ）に示される実施例においては、受け孔１４の巻尺ホルダ１の前側方向寄りに弾発部材４６を設けて、該受け孔１４に案内されて動いた軸１２が該弾発部材４６を通過する際は、右図のように、軸１２の衝突（押圧）によって弾発部材４６が一時的に退けられ、該軸１２の通過後に元の位置に戻る（復帰する）ようになっている。弾発部材４６を退けるには相応の力を必要とするので、可動部４の軸１２が受け孔１４の巻尺ホルダ１の前側方向の端に動かされた際は、軸１２が弾発部材４６によって該位置に一時固定される。本実施例では板バネを用いている。なお、弾発部材４６の一例としては、発条部材や弾性部材が挙げられる。
【００３６】
また、上述した脱落防止ガード１０、すなわち、掛着部２の支持部８に支持されたベルトクリップ２２の折返し部２４が、該支持部８の横方向に移動（滑動）して脱落するのを防止するために設けられた脱落防止ガード１０は、必ずしも設ける必要はなく、掛着部２と可動部４との組み合わせにより脱落を防止する場合もある。すなわち、掛着部２乃至可動部４に、上述した脱落防止ガード１０の機能を持たせることができる。
【００３７】
上述したベルトクリップ２２（折返し部２４）の、掛着部２（支持部８）からの脱落を防止可能な掛着部２と可動部４との組み合わせ形態を、図１４に示す。図１４（ａ）〜（ｃ）は、巻尺ホルダの一部を透視して掛着部に掛着された巻尺をその背面側から見ている図である。なお、右下の図１４（ｄ）は、ベルトクリップ２２を備える巻尺２０の一実施例を示した斜視図である。図１４（ａ）は、掛着部２の支持部８たる上部端面に下方に向けて凹状部４８を形成し、該凹状部４８の内底でベルトクリップ２２の折返し部２４の内面を支持し、且つ、可動部４の下端部１８の全部を上記凹状部４８内に位置させて、ベルトクリップ２２（折返し部２４）の横方向移動（滑動）及び上方向移動による脱落（抜け落ち）を防止するようにしている。図１４（ｂ）は、掛着部２の支持部８たる上部端面に下方に向けて凹状部４８を形成し、該凹状部４８の内底でベルトクリップ２２の折返し部２４の内面を支持し、且つ、可動部４の下端部１８の一部を上記凹状部４８内に位置させて、ベルトクリップ２２（折返し部２４）の横方向移動（滑動）及び上方向移動による脱落（抜け落ち）を防止するようにしている。図１４（ｃ）は、掛着部２の支持部８で支持しているベルトクリップ２２の折返し部２４を、可動部４の下端部１８の端面に上方に向けて形成した凹状部５０内に位置させて、ベルトクリップ２２（折返し部２４）の横方向移動（滑動）及び上方向移動による脱落（抜け落ち）を防止するようにしている。ところで、図１４（ａ）及び図１４（ｂ）に示されるように凹状部４８を形成するのではなく、掛着部２の支持部８の両端に凸状部を形成してもよい。また、図１４（ｃ）に示されるように凹状部５０を形成するのではなく、可動部４の下端部８の両端に凸状部を形成してもよい。従って、上述した構造を用いることで、掛着部２乃至可動部４が前段で説明している脱落防止ガード１０の機能を持つことができる。
【００３８】
また、本実施例に示す巻尺ホルダ１のように、掛着部２の下方を該巻尺ホルダ１の内方に入り込むように傾斜させることで（巻尺ホルダを先細形状にする）、巻尺２０が掛着部２に支持されたとき、該巻尺２０の特に下端部の巻尺ホルダ１前方への突出量を少なくすることができ、これにより、携帯者がしゃがむ姿勢を取る際、巻尺２０のケース下端部が携帯者周囲の部材に衝突したりまた接触したりするなどのアクシデントを低減することができる。
【００３９】
本発明の巻尺ホルダは上述のように構成されているので、各メーカーが使用するベルトクリップの寸法（厚み／長さ／幅）が相違していても、巻尺既設のベルトクリップそのままで該巻尺を安全に保持（係止）することができる。従って、ベルトクリップを備える巻尺であれば、市販の大多数の巻尺に十分対応可能な汎用性に富んだホルダとなっている。
【００４０】
さらには、上述したように、ベルトクリップを備える市販の大多数の巻尺に対応可能なので、携帯者が自身の作業に適合する巻尺を選ぶことができ、また、日ごろ使用して取り扱いに慣れている巻尺をそのまま使うこともできるので、作業の安全性確保や経済性においても高い効果を有する。
【符号の説明】
【００４１】
１…巻尺ホルダ
２…掛着部
４…可動部
６…携帯者ベルト装着部
８…支持部
１０…脱落防止ガード
１２…軸（シャフト）
１４…受け孔
１６…バネ
１８…下端部
２０…巻尺
２２…ベルトクリップ
２４…折返し部
２６…ベルト挿通部
２８…空間
３０…内空間
３２…巻尺ホルダ
３４…弾性部材
３６…ダンパ
３８…ばね材
４０…巻尺ホルダ
４２…係着部
４４…弾性部材
４６…弾発部材
４８…凹状部
５０…凹状部
【図１】
2019196966.tif 000003
【図２】
2019196966.tif 000004
【図３】
2019196966.tif 000005
【図４】
2019196966.tif 000006
【図５】
2019196966.tif 000007
【図６】
2019196966.tif 000008
【図７】
2019196966.tif 000009
【図８】
2019196966.tif 000010
【図９】
2019196966.tif 000011
【図１０】
2019196966.tif 000012
【図１１】
2019196966.tif 000013
【図１２】
2019196966.tif 000014
【図１３】
2019196966.tif 000015
【図１４】
2019196966.tif 000016